(57)【要約】【課題】設計の容易化及び対物レンズ駆動装置の動作制御における信頼性の向上を図る。【解決手段】  対物レンズ駆動装置８に、移動ベース７に固定された固定ブロック１０と、該固定ブロックに対してフォーカシング方向、トラッキング方向及びチルト方向へ動作されると共に２つの対物レンズ１８、１９を保持する可動ブロック１１と、固定ブロックと可動ブロックとを連結する支持バネ１、１５、・・・とを設け、可動ブロックに、該可動ブロックのフォーカシング方向、トラッキング方向又はチルト方向への動作時に通電されると共に対物レンズを挟んで半径方向に分割されて配置された一対のコイル体１７、１７を設け、一方の対物レンズのレンズ中心Ｐを、ディスクテーブル３の回転中心Ｓを通り半径方向に延びる第１の線分Ｌｒ上に対応して位置させ、他方の対物レンズのレンズ中心Ｑを、第１の線分から外れた位置、かつ、上記タンジェンシャル方向に延び一方の対物レンズのレンズ中心を通る第２の線分Ｌｔよりディスクテーブル側に位置させるようにした。【選択図】  図４
2005302162.tif 000002
【特許請求の範囲】
【請求項１】
ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して３種類の波長のレーザー光を照射する光ピックアップであって、
上記対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ブロックと、
固定ブロックと可動ブロックとを連結する支持バネとを備え、
上記可動ブロックは、該可動ブロックのフォーカシング方向、トラッキング方向又はチルト方向への動作時に通電されると共に上記対物レンズを挟んで上記半径方向に分割されて配置された一対のコイル体とを有し、
一方の対物レンズはレンズ中心が、ディスクテーブルの回転中心を通り上記半径方向に延びる第１の線分上に対応して位置され、
他方の対物レンズはレンズ中心が、上記第１の線分から外れた位置、かつ、上記タンジェンシャル方向に延び上記一方の対物レンズのレンズ中心を通る第２の線分よりディスクテーブル側に位置されるようにした
ことを特徴とする光ピックアップ。
【請求項２】
上記２つの対物レンズの重量が異なるようにし、
上記移動ベース上に配置されたマグネット、ヨーク及び可動ブロック上のコイル体で構成される磁気回路のタンジェンシャル方向の略中心位置に対して、上記２つの対物レンズ中心までの距離を重量の大きな対物レンズを重量の小さな対物レンズに比較して近くに配置した
ことを特徴とする請求項１に記載の光ピックアップ。
【請求項３】
上記コイル体を、可動ブロックをフォーカシング方向へ動作させるためのフォーカシングコイルと、可動ブロックをトラッキング方向へ動作させるためのトラッキングコイルと、可動ブロックをチルト方向へ動作させるためのチルトコイルとによって構成し、
フォーカシングコイルとチルトコイルをフォーカシング方向に重ねて配置した
ことを特徴とする請求項１に記載の光ピックアップ。
【請求項４】
上記コイル体を、可動ブロックをフォーカシング方向及びチルト方向へ動作させるための共通コイルと、可動ブロックをトラッキング方向へ動作させるためのトラッキングコイルとによって構成した
ことを特徴とする請求項１に記載の光ピックアップ。
【請求項５】
ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有すると共にディスクテーブルに装着された使用波長の異なる各ディスク状記録媒体に対応して３種類の波長のレーザー光を照射するように構成されたディスクドライブ装置であって、
上記対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ブロックと、
固定ブロックと可動ブロックとを連結する支持バネとを備え、
上記可動ブロックは、該可動ブロックのフォーカシング方向、トラッキング方向又はチルト方向への動作時に通電されると共に上記対物レンズを挟んで上記半径方向に分割されて配置された一対のコイル体とを有し、
一方の対物レンズはレンズ中心が、ディスクテーブルの回転中心を通り上記半径方向に延びる第１の線分上に対応して位置され、
他方の対物レンズはレンズ中心が、上記第１の線分から外れた位置、かつ、上記タンジェンシャル方向に延び上記一方の対物レンズのレンズ中心を通る第２の線分よりディスクテーブル側に位置されるようにした
ことを特徴とするディスクドライブ装置。
【請求項６】
上記２つの対物レンズの重量が異なるようにし、
上記移動ベース上に配置されたマグネット、ヨーク及び可動ブロック上のコイル体で構成される磁気回路のタンジェンシャル方向の略中心位置に対して、上記２つの対物レンズ中心までの距離を重量の大きな対物レンズを重量の小さな対物レンズに比較して近くに配置した
ことを特徴とする請求項５に記載のディスクドライブ装置。
【請求項７】
上記コイル体を、可動ブロックをフォーカシング方向へ動作させるためのフォーカシングコイルと、可動ブロックをトラッキング方向へ動作させるためのトラッキングコイルと、可動ブロックをチルト方向へ動作させるためのチルトコイルとによって構成し、
フォーカシングコイルとチルトコイルをフォーカシング方向に重ねて配置した
ことを特徴とする請求項５に記載のディスクドライブ装置。
【請求項８】
上記コイル体を、可動ブロックをフォーカシング方向及びチルト方向へ動作させるための共通コイルと、可動ブロックをトラッキング方向へ動作させるためのトラッキングコイルとによって構成した
ことを特徴とする請求項５に記載のディスクドライブ装置。
【発明の詳細な説明】
【技術分野】
【０００１】
本発明は光ピックアップ及びディスクドライブ装置に関する。詳しくは、可動ブロックが固定ブロックに対してフォーカシング方向、トラッキング方向及びチルト方向の３方向へ動作される対物レンズ駆動装置を有する光ピックアップ及びこれを備えたディスクドライブ装置についての技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに保持された対物レンズをディスク状記録媒体の記録面に離接する方向であるフォーカシング方向へ動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００４】
このように光ピックアップにあっては、対物レンズ駆動装置によってフォーカシング調整及びトラッキング調整を行うのが一般的であるが、近年、レーザー光のスポットの記録トラックに対する追従性の向上等を図るために、フォーカシング調整及びトラッキング調整の２軸方向の調整に加え、可動ブロックをディスク状記録媒体の記録面に対して傾動可能とし、回転中のディスク状記録媒体に面振れ等が生じたときのチルト調整をも可能とした所謂３軸アクチュエーターと称される対物レンズ駆動装置が開発されている。
【０００５】
一方、ディスク状記録媒体は、近年、記録密度やカバー厚み等の相違により種々のタイプが開発されており、このようなディスク状記録媒体として、例えば、レーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるＢｌｕ―ｒａｙディスク（ＢＤ）、同じく使用波長が４０５ｎｍ付近であるＡＯＤ（Advanced Optical Disc）等が存在する。尚、ＡＯＤ規格に略準拠した規格としてＨＤ−ＤＶＤ（High Definition  ＤＶＤ）がある。
【０００６】
このようなレーザー光の使用波長の異なる複数の種類のディスク状記録媒体に対して情報信号の記録や再生を行う光ピックアップとして、複数のディスク状記録媒体に対応した２つの対物レンズを備えたものがある（例えば、特許文献１参照）。
【０００７】
特許文献１に記載された光ピックアップにあっては、例えば、約６６０ｎｍのレーザー光を用いるディスク状記録媒体と約７８０ｎｍのレーザー光を用いるディスク状記録媒体に対応する２つの対物レンズを有する対物レンズ駆動装置が設けられ、約７８０ｎｍのレーザー光が一方の対物レンズによって一方のディスク状記録媒体の記録面に集光され、約６６０ｎｍのレーザー光が他方の対物レンズによって他方のディスク状記録媒体の記録面に集光されて、各ディスク状記録媒体に対する情報信号の記録や再生が行われる。
【０００８】
このような２つの対物レンズを有する光ピックアップにあっては、図６に示すように、光ピックアップａの移動方向、即ち、ディスク状記録媒体の半径方向（ＲＡＤ）に延びディスクテーブルｂの回転中心Ｓを通る線分Ｌ上に、対物レンズ駆動装置ｃの可動ブロックｄに設けられた一方の対物レンズｅの中心を一致させると、他方の対物レンズｆはタンジェンシャル方向（ＴＡＮ）、即ち、ディスク状記録媒体の記録トラックの接線方向において一方の対物レンズｅと離隔した位置に配置されることになる。このとき、一方の対物レンズｅによってディスク状記録媒体の最内周に記録された情報を読み取る位置を光ピックアップａの移動方向における内側の移動端に設定してしまうと、他方の対物レンズｆによってディスク状記録媒体の最内周に記録された情報を読み取ることができなくなってしまう。
【０００９】
従って、他方の対物レンズｆによってディスク状記録媒体の最内周に記録された情報を読み取る位置を光ピックアップａの移動方向における内側の移動端に設定する必要があるが、この場合には、光ピックアップａとディスクテーブルｂやこれを駆動するためのスピンドルモーターとの接触を回避するために、ディスクテーブルｂやスピンドルモーターの一部を凹ます等の手段が必要となり、ディスクドライブ装置の設計が困難となり製造コストの高騰を来たすという問題が生じてしまう。
【００１０】
そこで、図７に示すように、特許文献１に記載された光ピックアップｇにあっては、対物レンズ駆動装置ｈをタンジェンシャル方向に対して斜めに配置し、可動ブロックｉに設けられた一方の対物レンズｊの中心を線分Ｌ上に位置させた状態で、他方の対物レンズｋをディスクテーブルｂに近付くようにしている。
【００１１】
このように対物レンズ駆動装置ｈをタンジェンシャル方向に対して斜めに配置することにより、光ピックアップｇが内側の移動端に移動されたときに、一方の対物レンズｊによってディスク状記録媒体の最内周に記録された情報を読み取ることができると共に他方の対物レンズｋによってもディスク状記録媒体の最内周に記録された情報を読み取ることができるようになっている。
【００１２】
【特許文献１】特開平１１―２５０４７９号公報
【発明の開示】
【発明が解決しようとする課題】
【００１３】
ところが、上記した特許文献１に記載された光ピックアップｇにあっては、対物レンズ駆動装置ｈをタンジェンシャル方向に対して斜めに配置することにより、設計の困難性等の問題を回避するようにしているが、対物レンズ駆動装置ｈを斜めに配置する分、トラッキング調整時における可動ブロックｉの動作方向がディスク状記録媒体の半径方向に対してずれた方向となってしまう（図７に示すＡ−Ａ方向）。
【００１４】
従って、３ビーム法等のサイドビームを使用したトラッキングエラー検出においては、ディスク状記録媒体の内外周での位相差変化による信号レベル変動が大きくトラッキング動作に悪影響を及ぼすおそれがある。
【００１５】
また、フォーカシング調整及びトラッキング調整に加え、上記したように、可動ブロックをチルト方向へ動作させるチルト調整を行った場合には、対物レンズ駆動装置をタンジェンシャル方向に対して斜めに配置する分、可動ブロックのチルト動作の方向とディスク状記録媒体の面振れによる変位方向とが一致せず、チルト調整時における動作にも悪影響を及ぼすおそれがある。
【００１６】
そこで、本発明光ピックアップ及びディスクドライブ装置は、上記した問題点を克服し、設計の容易化及び対物レンズ駆動装置の動作制御における信頼性の向上を図ることを課題とする。
【課題を解決するための手段】
【００１７】
本発明光ピックアップ及びディスクドライブ装置は、上記した課題を解決するために、対物レンズ駆動装置に、移動ベースに固定された固定ブロックと、該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ブロックと、固定ブロックと可動ブロックとを連結する支持バネとを設け、可動ブロックに、該可動ブロックのフォーカシング方向、トラッキング方向又はチルト方向への動作時に通電されると共に上記対物レンズを挟んで上記半径方向に分割されて配置された一対のコイル体を設け、一方の対物レンズのレンズ中心を、ディスクテーブルの回転中心を通り上記半径方向に延びる第１の線分上に対応して位置させ、他方の対物レンズはレンズ中心が、上記第１の線分から外れた位置、かつ、上記タンジェンシャル方向に延び上記一方の対物レンズのレンズ中心を通る第２の線分よりディスクテーブル側に位置させるようにしたものである。
【００１８】
従って、本発明光ピックアップ及びディスクドライブ装置にあっては、２つの対物レンズのレンズ中心間を結ぶ線分がタンジェンシャル方向に対して傾斜されると共にトラッキング調整時に可動ブロックが略半径方向へ移動される。
【発明の効果】
【００１９】
本発明光ピックアップは、ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して３種類の波長のレーザー光を照射する光ピックアップであって、上記対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ブロックと、固定ブロックと可動ブロックとを連結する支持バネとを備え、上記可動ブロックは、該可動ブロックのフォーカシング方向、トラッキング方向又はチルト方向への動作時に通電されると共に上記対物レンズを挟んで上記半径方向に分割されて配置された一対のコイル体とを有し、一方の対物レンズはレンズ中心が、ディスクテーブルの回転中心を通り上記半径方向に延びる第１の線分上に対応して位置され、他方の対物レンズはレンズ中心が、上記第１の線分から外れた位置、かつ、上記タンジェンシャル方向に延び上記一方の対物レンズのレンズ中心を通る第２の線分よりディスクテーブル側に位置されるようにしたことを特徴とする。
【００２０】
従って、ディスクテーブルやスピンドルモーターの一部を凹ます等の設計を行うことなく、２つの対物レンズのそれぞれによって各ディスク状記録媒体の最内周に記録された情報信号の読取を行うことができる。
【００２１】
また、対物レンズ駆動装置をタンジェンシャル方向に対して斜めに配置しないため、トラッキング調整時において可動ブロックが移動される方向がディスク状記録媒体の半径方向に一致し、チルト調整時において可動ブロックが移動される方向がディスク状記録媒体の面振れ等に追従する方向に一致し、トラッキング調整時及びチルト調整時における制御動作の適正化及び動作の信頼性の向上を図ることができる。
【００２２】
さらに、一方の対物レンズのレンズ中心をディスクテーブルの回転中心を通る第１の線分上に位置させているため、第１の対物レンズを用いて情報信号の記録再生を行うディスク状記録媒体において、トラッキング誤差信号の読取を所謂３ビーム法や差動プッシュプル法を用いて行うことができる。
【００２３】
請求項２に記載した発明にあっては、上記２つの対物レンズの重量が異なるようにし、上記移動ベース上に配置されたマグネット、ヨーク及び可動ブロック上のコイル体で構成される磁気回路のタンジェンシャル方向の略中心位置に対して、上記２つの対物レンズ中心までの距離を重量の大きな対物レンズを重量の小さな対物レンズに比較して近くに配置したので、可動ブロック全体の重心位置を上記磁気回路の略中心位置と一致させる際の付加重量の低減が可能となり、対物レンズ駆動装置の高感度化を図ることができる。
【００２４】
請求項３に記載した発明にあっては、上記コイル体を、可動ブロックをフォーカシング方向へ動作させるためのフォーカシングコイルと、可動ブロックをトラッキング方向へ動作させるためのトラッキングコイルと、可動ブロックをチルト方向へ動作させるためのチルトコイルとによって構成し、フォーカシングコイルとチルトコイルをフォーカシング方向に重ねて配置したので、フォーカシングコイルとチルトコイルの配置スペースを小さくすることができ、光ピックアップの小型化及び薄型化を図ることができる。
【００２５】
請求項４に記載した発明にあっては、上記コイル体を、可動ブロックをフォーカシング方向及びチルト方向へ動作させるための共通コイルと、可動ブロックをトラッキング方向へ動作させるためのトラッキングコイルとによって構成したので、光ピックアップの部品点数の削減及び製造コストの低減を図ることができる。
【００２６】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有すると共にディスクテーブルに装着された使用波長の異なる各ディスク状記録媒体に対応して３種類の波長のレーザー光を照射するように構成されたディスクドライブ装置であって、上記対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ブロックと、固定ブロックと可動ブロックとを連結する支持バネとを備え、上記可動ブロックは、該可動ブロックのフォーカシング方向、トラッキング方向又はチルト方向への動作時に通電されると共に上記対物レンズを挟んで上記半径方向に分割されて配置された一対のコイル体とを有し、一方の対物レンズはレンズ中心が、ディスクテーブルの回転中心を通り上記半径方向に延びる第１の線分上に対応して位置され、他方の対物レンズはレンズ中心が、上記第１の線分から外れた位置、かつ、上記タンジェンシャル方向に延び上記一方の対物レンズのレンズ中心を通る第２の線分よりディスクテーブル側に位置されるようにしたことを特徴とする。
【００２７】
従って、ディスクテーブルやスピンドルモーターの一部を凹ます等の設計を行うことなく、２つの対物レンズのそれぞれによって各ディスク状記録媒体の最内周に記録された情報信号の読取を行うことができる。
【００２８】
また、対物レンズ駆動装置をタンジェンシャル方向に対して斜めに配置しないため、トラッキング調整時において可動ブロックが移動される方向がディスク状記録媒体の半径方向に一致し、チルト調整時において可動ブロックが移動される方向がディスク状記録媒体の面振れ等に追従する方向に一致し、トラッキング調整時及びチルト調整時における制御動作の適正化及び動作の信頼性の向上を図ることができる。
【００２９】
さらに、一方の対物レンズのレンズ中心をディスクテーブルの回転中心を通る第１の線分上に位置させているため、第１の対物レンズを用いて情報信号の記録再生を行うディスク状記録媒体において、トラッキング誤差信号の読取を所謂３ビーム法や差動プッシュプル法を用いて行うことができる。
【００３０】
請求項６に記載した発明にあっては、上記２つの対物レンズの重量が異なるようにし、上記移動ベース上に配置されたマグネット、ヨーク及び可動ブロック上のコイル体で構成される磁気回路のタンジェンシャル方向の略中心位置に対して、上記２つの対物レンズ中心までの距離を重量の大きな対物レンズを重量の小さな対物レンズに比較して近くに配置したので、可動ブロック全体の重心位置を上記磁気回路の略中心位置と一致させる際の付加重量の低減が可能となり、対物レンズ駆動装置の高感度化を図ることができる。
【００３１】
請求項７に記載した発明にあっては、上記コイル体を、可動ブロックをフォーカシング方向へ動作させるためのフォーカシングコイルと、可動ブロックをトラッキング方向へ動作させるためのトラッキングコイルと、可動ブロックをチルト方向へ動作させるためのチルトコイルとによって構成し、フォーカシングコイルとチルトコイルをフォーカシング方向に重ねて配置したので、フォーカシングコイルとチルトコイルの配置スペースを小さくすることができ、ディスクドライブ装置の小型化及び薄型化を図ることができる。
【００３２】
請求項８に記載した発明にあっては、上記コイル体を、可動ブロックをフォーカシング方向及びチルト方向へ動作させるための共通コイルと、可動ブロックをトラッキング方向へ動作させるためのトラッキングコイルとによって構成したので、ディスクドライブ装置の部品点数の削減及び製造コストの低減を図ることができる。
【発明を実施するための最良の形態】
【００３３】
以下に、本発明光ピックアップ及びディスクドライブ装置の最良の形態を添付図面を参照して説明する。
【００３４】
ディスクドライブ装置１は、外筐２内に所要の各部材及び各機構が配置されて成り（図１参照）、外筐２には図示しないディスク挿入口が形成されている。
【００３５】
外筐２内には図示しないシャーシが配置され、該シャーシに取り付けられたスピンドルモーターのモーター軸にディスクテーブル３が固定されている。
【００３６】
シャーシには、平行なガイド軸４、４が取り付けられると共に図示しない送りモーターによって回転されるリードスクリュー５が支持されている。
【００３７】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００３８】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３９】
ディスク状記録媒体１００としては、例えば、ＤＶＤ（Digital Versatile Disc）１００ａとＣＤ（Compact Disc）１００ｂに加え、Ｂｌｕ―ｒａｙディスク（ＢＤ）１００ｃ又はＡＯＤ（Advanced Optical Disc）１００ｄが用いられる。これらの各ディスク状記録媒体１００のレーザー光の使用波長は、ＤＶＤ１００ａが約６６０ｎｍ、ＣＤ１００ｂが約７８０ｎｍ、ＢＤ１００ｃ及びＡＯＤ１００ｄが約４０５ｎｍである。
【００４０】
各ディスク状記録媒体１００のカバー厚みは、ＤＶＤ１００ａが０．６ｍｍ、ＣＤ１００ｂが１．２ｍｍ、ＢＤ１００ｃが０．１ｍｍ、ＡＯＤ１００ｄが０．６ｍｍである。
【００４１】
対物レンズ駆動装置８に設けられる後述する対物レンズの開口数としては、各ディスク状記録媒体１００の使用波長やカバー厚み等を考慮して、ＣＤ１００ｂは０．５程度、ＤＶＤ１００ａ及びＡＯＤ１００ｄは０．６５程度、ＢＤ１００ｃは０．８５程度とすることが望ましい。
【００４２】
対物レンズ駆動装置８はベース部材９と固定ブロック１０と該固定ブロック１０に対して動作される可動ブロック１１とを有している（図２乃至図５参照）。
【００４３】
ベース部材９は磁性金属材料によって形成され、移動ベース７上に取り付けられたベース部９ａと該ベース部９ａからそれぞれ直角に立ち曲げられた外ヨーク部９ｂ、９ｂと内ヨーク部９ｃ、９ｃとから成る（図２参照）。外ヨーク部９ｂ、９ｂは前後方向、即ち、ディスク状記録媒体１００のタンジェンシャル方向に離隔して設けられ、内ヨーク部９ｃ、９ｃは左右方向、即ち、ディスク状記録媒体１００の半径方向に離隔して設けられている。
【００４４】
外ヨーク部９ｂ、９ｂの互いに対向する面には、それぞれ２つずつのマグネット１２、１２、・・・が取り付けられている（図２及び図３参照）。マグネット１２、１２、・・・は外ヨーク部９ｂ、９ｂの左右両端部に取り付けられている。
【００４５】
固定ブロック１０は移動ベース７に対して固定され、固定ブロック１０の後面には、その左右両端部に上下に離隔して合計６つの端子部１３、１３、・・・が設けられている（図２に２つの端子部のみ示す。）。
【００４６】
固定ブロック１０の後面には回路基板１４の一端部が取り付けられ、該回路基板１４は図示しない電源回路に接続されている。回路基板１４は、例えば、フレキシブルプリント配線板であり、その各接続線の一端部がそれぞれ固定ブロック１０に設けられた端子部１３、１３、・・・に接続されている。
【００４７】
固定ブロック１０の端子部１３、１３、・・・にはそれぞれ支持バネ１５、１５、・・・（図２に２つの支持バネのみ示す。）の各後端部が接続され、該支持バネ１５、１５、・・・は端子部１３、１３、・・・を介して回路基板１４の各接続線に接続されている。支持バネ１５、１５、・・・は固定ブロック１０から前方へ向けて突出されている。
【００４８】
可動ブロック１１はレンズ取付部１６と一対のコイル体１７、１７とから成る。
【００４９】
レンズ取付部１６には上下に貫通された図示しない２つの透過孔が形成され、該透過孔をそれぞれ上側から覆うようにして第１の対物レンズ１８と第２の対物レンズ１９が取り付けられている。
【００５０】
第１の対物レンズ１８は、例えば、約６６０ｎｍと約７８０ｎｍのレーザー光に対応した構成とされており、それぞれ開口数が０．６５程度及び０．５程度にされている。第２の対物レンズ１９は、例えば、約４０５ｎｍのレーザー光に対応した構成とされており、開口数が０．８５程度にされている。このように第２の対物レンズ１９は開口数が第１の対物レンズ１８より大きくされており、その分、第１の対物レンズ１８よりも厚みが厚く、重量も大きくされている。
【００５１】
第２の対物レンズ１９は第１の対物レンズ１８よりも固定ブロック１０側に配置されている。第１の対物レンズ１８のレンズ中心Ｐは、図４に示すように、光ピックアップ６の移動方向、即ち、ディスク状記録媒体１００の半径方向に延びディスクテーブル３の回転中心Ｓを通る第１の線分Ｌｒ上に対応して位置されている。第２の対物レンズ１９のレンズ中心Ｑは、ディスク状記録媒体１００のタンジェンシャル方向に延び第１の対物レンズ１８のレンズ中心Ｐを通る第２の線分Ｌｔよりディスクテーブル３側に位置され、好ましくは、ディスク状記録媒体１００がディスクテーブル３に装着された状態において、第２の対物レンズ１９のレンズ中心Ｑは、第１の対物レンズ１８のレンズ中心Ｐの真上に位置する記録トラックＭｔの真下の位置にある（図４はレンズ中心Ｑが記録トラックＭｔの真下にある状態を示す。）。
【００５２】
コイル体１７、１７はそれぞれレンズ取付部１６の左右両側面に取り付けられている（図２参照）。
【００５３】
コイル体１７は、図３に示すように、可動ブロック１１をフォーカシング方向へ動作させるためのフォーカシングコイル２０と、可動ブロック１１をトラッキング方向へ動作させるためのトラッキングコイル２１、２１と、可動ブロック１１をチルト方向へ動作させるためのチルトコイル２２とによって構成されている。フォーカシング方向はディスク状記録媒体１００に離接する方向（図４に示すＦ方向）、即ち、上下方向であり、トラッキング方向はディスク状記録媒体１００の半径方向（図４に示すＴ方向）、即ち、左右方向であり、チルト方向はディスク状記録媒体１００の面振れの方向（図４に示すＲ方向）、即ち、タンジェンシャル方向に延びる軸を中心とした回動方向である。
【００５４】
フォーカシングコイル２０、トラッキングコイル２１、２１及びチルトコイル２２はそれぞれ略角筒状に巻回されて形成され、フォーカシングコイル２０とチルトコイル２２はそれぞれ巻軸方向が上下方向（フォーカシング方向）とされ、トラッキングコイル２１、２１は巻軸方向が前後方向（タンジェンシャル方向）とされている。
【００５５】
フォーカシングコイル２０とチルトコイル２２は上下に重ねられた状態で配置され、トラッキングコイル２１、２１はそれぞれフォーカシングコイル２０及びチルトコイル２２の前後両面に取り付けられている。
【００５６】
フォーカシングコイル２０、２０とチルトコイル２２、２２は前後両側に位置する部分２０ａ、２０ａ、・・・、２２ａ、２２ａ、・・・がそれぞれ外ヨーク部９ｂ、９ｂに取り付けられたマグネット１２、１２、・・・に対向して位置され、トラッキングコイル２１、２１、・・・はそれぞれ内側、即ち、レンズ取付部１６側に位置する部分２１ａ、２１ａ、・・・がマグネット１２、１２、・・・に対向して位置されている。従って、フォーカシングコイル２０、２０、チルトコイル２２及びトラッキングコイル２１、２１、・・・のうち、これらのマグネット１２、１２、・・・に対向して位置されている部分２０ａ、２０ａ、・・・、２２ａ、２２ａ、・・・、２１ａ、２１ａ、・・・が、可動ブロック１１にフォーカシング方向、トラッキング方向又はチルト方向に推力を付与するための部分である。
【００５７】
フォーカシングコイル２０、２０とチルトコイル２２、２２の内部には、それぞれベース部材９の内ヨーク部９ｃ、９ｃが挿入されて配置される。
【００５８】
フォーカシングコイル２０、２０、トラッキングコイル２１、２１、・・・及びチルトコイル２２、２２の各一端部は、それぞれ可動ホルダー１８のレンズ取付部２０の両側面に設けられた接続端子部２３、２３、・・・に接続されている。接続端子部２３、２３、・・・にはそれぞれ支持バネ１５、１５、・・・の各前端部が接続されている。従って、可動ブロック１１は支持バネ１５、１５、・・・によって固定ブロック１０と連結されて中空に保持される。
【００５９】
支持バネ１５、１５、・・・には、電源回路から回路基板１４を介してフォーカシング調整用、トラッキング調整用又はチルト調整用の駆動電流が供給される。従って、支持バネ１５、１５、・・・のうち各２本ずつが、それぞれフォーカシングコイル２０、２０とトラッキングコイル２１、２１、・・・とチルトコイル２２、２２への給電部材として機能する。
【００６０】
電源回路から回路基板１４及び支持バネ１５、１５、・・・を介してフォーカシングコイル２０、２０、トラッキングコイル２１、２１、・・・又はチルトコイル２２、２２に駆動電流が供給されると、これらの駆動電流の向きとマグネット１２、１２、・・・、外ヨーク９ｂ、９ｂ及び内ヨーク９ｃ、９ｃにより発生する磁束の方向とによって、可動ブロック１１がフォーカシング方向、トラッキング方向又はチルト方向に移動される。
【００６１】
可動ブロック１１がフォーカシング方向、トラッキング方向又はチルト方向へ動作されるときには、支持バネ１５、１５、・・・が弾性変形される。
【００６２】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００６３】
この記録動作及び再生動作において、フォーカシングコイル２０に駆動電流が供給されると、上記したように、対物レンズ駆動装置８の可動ブロック１１が固定ブロック１０に対して図４に示すフォーカシング方向Ｆ―Ｆへ動作され、移動ベース７に設けられた図示しない半導体レーザーから出射され第１の対物レンズ１８又は第２の対物レンズ１９を介して照射されるレーザー光のスポットがディスク状記録媒体１００の反りに対応して略垂直に集光するようにフォーカシング調整が為される。
【００６４】
また、トラッキングコイル２１、２１、・・・に駆動電流が供給されると、上記したように、対物レンズ駆動装置８の可動ブロック１１が固定ブロック１０に対して図４に示すトラッキング方向Ｔ―Ｔへ動作され、半導体レーザーから出射され第１の対物レンズ１８又は第２の対物レンズ１９を介して照射されるレーザー光のスポットがディスク状記録媒体１００の記録トラック上に集光するようにトラッキング調整が為される。
【００６５】
さらに、チルトコイル２２、２２に駆動電流が供給されると、上記したように、対物レンズ駆動装置８の可動ブロック１１が固定ブロック１０に対して図４に示すチルト方向Ｒ―Ｒへ動作され、半導体レーザーから出射され第１の対物レンズ１８又は第２の対物レンズ１９を介して照射されるレーザー光のスポットがディスク状記録媒体１００の記録トラック上に集光するようにチルト調整が為される。
【００６６】
記録動作及び再生動作において、光ピックアップ６は、ディスク状記録媒体１００の内周側から外周側へ移動される。光ピックアップ６がディスク状記録媒体１００の内周側の移動端に移動された場合に、ディスクテーブル３に装着されたディスク状記録媒体１００がＤＶＤ１００ａ又はＣＤ１００ｂであるときに、第１の対物レンズ１８のレンズ中心Ｐが最内周の記録トラックに対応して位置される。一方、光ピックアップ６がディスク状記録媒体１００の内周側の移動端に移動された場合に、ディスクテーブル３に装着されたディスク状記録媒体１００がＢＤ１００ｃ又はＡＯＤ１００ｄであるときには、上記したように、第２の対物レンズ１９のレンズ中心Ｑが、第１の対物レンズ１８のレンズ中心Ｐを通る第２の線分Ｌｔよりディスクテーブル３側に位置されており、レンズ中心ＱがＢＤ１００ｃ又はＡＯＤ１００ｄの最内周の記録トラックに対応して位置される。
【００６７】
以上に記載した通り、光ピックアップ６にあっては、第１の対物レンズ１８のレンズ中心Ｐがディスクテーブル３の回転中心Ｓを通りディスク状記録媒体１００の半径方向に延びる第１の線分Ｌｒ上に位置され、第２の対物レンズ１９のレンズ中心Ｑがタンジェンシャル方向に延びレンズ中心Ｐを通る第２の線分Ｌｔよりディスクテーブル３側に位置されているため、ディスクテーブル３やスピンドルモーターの一部を凹ます等の設計を行うことなく、第１の対物レンズ１８及び第２の対物レンズ１９によって各ディスク状記録媒体１００の最内周に記録された情報信号の読取を行うことができる。
【００６８】
また、対物レンズ駆動装置８をタンジェンシャル方向に対して斜めに配置しないため、トラッキング調整時において可動ブロック１１が移動される方向がディスク状記録媒体１００の半径方向に一致し、チルト調整時において可動ブロック１１が移動される方向がディスク状記録媒体１００の面振れ等に追従する方向に一致し、トラッキング調整時及びチルト調整時における制御動作の適正化及び動作の信頼性の向上を図ることができる。
【００６９】
さらに、第１の対物レンズ１８のレンズ中心Ｐをディスクテーブル３の回転中心Ｓを通る第１の線分Ｌｒ上に位置させているため、第１の対物レンズ１８を用いて情報信号の記録再生を行うディスク状記録媒体１００において、トラッキング誤差信号の読取を所謂３ビーム法や差動プッシュプル法を用いて行うことができる。尚、第２の対物レンズ１９を用いて情報信号の記録再生を行うディスク状記録媒体１００においては、トラッキング誤差信号の読取を１ビームを用いた方法により行えばよい。
【００７０】
さらにまた、対物レンズ駆動装置８において、重量の大きな第２の対物レンズ１９を重量の小さな第１の対物レンズ１８より、移動ベース７上に配置されたマグネット１２、１２、・・・、外ヨーク部９ｂ、９ｂ、内ヨーク部９ｃ、９ｃ及び可動ブロック１１上のコイル体１７、１７で構成される磁気回路のタンジェンシャル方向の略中心位置に対して、上記２つの対物レンズ１８、１９の中心までの距離を重量の大きな第２の対物レンズ１９を重量の小さな第１の対物レンズ１８に比較して近くに配置しているため、可動ブロック１１全体の重心位置を上記磁気回路の略中心位置と一致させる際の付加重量の低減が可能となり、対物レンズ駆動装置８の高感度化を図ることができる。
【００７１】
加えて、フォーカシングコイル２０、２０とチルトコイル２２、２２をフォーカシング方向に重ねて配置しているため、これらの配置スペースを小さくすることができ、光ピックアップ６の小型化及び薄型化を図ることができる。
【００７２】
上記には、コイル体１７をフォーカシングコイル２０、トラッキングコイル２１、２１及びチルトコイル２２の３つのコイルによって構成した例を示したが、例えば、図５に示すように、コイル体１７Ａとして、フォーカシング調整及びチルト調整兼用の共通コイル２４とトラッキングコイル２１、２１とによって構成することも可能である。
【００７３】
この場合には、支持バネ１５、１５、・・・のうち各２本ずつが、それぞれ一方の共通コイル２４と他方の共通コイル２４とトラッキングコイル２１、２１、・・・への給電部材として機能する。
【００７４】
コイル体１７Ａにおいては、共通コイル２４、２４にそれぞれ同じ向きの電流を供給することにより可動ブロック１１がフォーカシング方向へ移動され、供給する駆動電流の強さを一方の共通コイル２４と他方の共通コイル２４との間で変えることにより可動ブロック１１がチルト方向へ移動される。
【００７５】
上記のように共通コイル２４、２４とトラッキングコイル２１、２１、・・・とによって構成されたコイル体１７Ａ、１７Ａを用いることにより、光ピックアップ６の部品点数の削減及び製造コストの低減を図ることができる。
【００７６】
尚、上記には、第１の対物レンズ１８のレンズ中心Ｐを第１の線分Ｌｒ上に対応して位置させると共に第２の対物レンズ１９のレンズ中心Ｑを第２の線分Ｌｔよりディスクテーブル３側に位置させた例を示したが、逆に、第２の対物レンズ１９のレンズ中心Ｑを第１の線分Ｌｒ上に対応して位置させると共に第１の対物レンズ１８のレンズ中心Ｐを第２の線分Ｌｔよりディスクテーブル３側に位置させるようにすることも可能である。この場合には、好ましくは、ディスク状記録媒体１００がディスクテーブル３に装着された状態において、第１の対物レンズ１８のレンズ中心Ｐは、第２の対物レンズ１９のレンズ中心Ｑの真上に位置する記録トラックＭｔの真下の位置にあるようにする。
【００７７】
上記には、フォーカシング方向を上下方向、トラッキング方向を左右方向として説明したが、これらの方向は説明の便宜上、例として示したものであり、特にこれらの方向に限定されることはない。
【００７８】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７９】
【図１】図２乃至図５と共に本発明を実施するための最良の形態を示すものであり、本図はディスクドライブ装置の概略斜視図である。
【図２】対物レンズ駆動装置の概略拡大平面図である。
【図３】各ヨーク部、コイル体及び各対物レンズの位置関係を示す拡大斜視図である。
【図４】対物レンズの配置位置を説明するための概略平面図である。
【図５】別のコイル体を示す拡大斜視図である。
【図６】図７と共に従来の光ピックアップを示すものであり、本図は２つの対物レンズがタンジェンシャル方向に離隔して配置された例を示す概略平面図である。
【図７】対物レンズ駆動装置がタンジェンシャル方向に対して斜めに配置された例を示す概略平面図である。
【符号の説明】
【００８０】
１００…ディスク状記録媒体、１…ディスクドライブ装置、３…ディスクテーブル、６…光ピックアップ、７…移動ベース、８…対物レンズ駆動装置、１０…固定ブロック、１１…可動ブロック、１５…支持バネ、１７…コイル体、１８…第１の対物レンズ、１９…第２の対物レンズ、２０…フォーカシングコイル、２１…トラッキングコイル、２２…チルトコイル、１７Ａ…コイル体、２４…共通コイル、Ｐ…レンズ中心、Ｑ…レンズ中心、Ｓ…回転中心、Ｌｒ…第１の線分、Ｌｔ…第２の線分
【図１】
2005302162.tif 000003
【図２】
2005302162.tif 000004
【図３】
2005302162.tif 000005
【図４】
2005302162.tif 000006
【図５】
2005302162.tif 000007
【図６】
2005302162.tif 000008
【図７】
2005302162.tif 000009